(57)【特許請求の範囲】
【請求項１】
基台と、前記基台上に回転自在に設けられる台座と、前記台座に載置されその表面の少なくとも一部が球面になっている装飾体と、前記基台に設けられるモータと、前記モータの回転動を該台座に伝達する回転軸部材とを備え、
前記台座に前記装飾体の球面部分を摺動可能に支持する支承部を設け、前記回転軸部材に前記支承部が装飾体に接触する摩擦力よりも強い摩擦力で前記装飾体の球面部分に接触し前記台座が回転するときの該装飾体の回転中心軸を傾けさせる軸傾斜手段を設けたことを特徴とする回転飾り装置。
【請求項２】
前記回転軸部材は、前記台座の回転中心線上に設けられる駆動軸と、前記駆動軸にその軸方向に交差するように延びる旋回軸とからなり、
前記旋回軸は、前記台座に接続されていることを特徴とする請求項１に記載の回転飾り装置。
【請求項３】
前記軸傾斜手段は、前記旋回軸に回転自在に軸支された円環状の摩擦リングであることを特徴とする請求項２に記載の回転飾り装置。
【請求項４】
前記旋回軸には、駆動歯車が回転自在に軸支され、該駆動歯車を前記基台に固着した固定歯車に噛合させることにより動力伝達歯車が構成され、前記旋回軸の回転に伴って前記駆動歯車が回動するようになっており、
前記摩擦リングは、前記旋回軸に軸支された駆動歯車に固着されていることを特徴とする請求項３に記載の回転飾り装置。
【請求項５】
前記軸傾斜手段は、前記旋回軸を押し上げるように配設した付勢部材により前記装飾体の球面部分を弾性的に押圧していることを特徴とする請求項４に記載の回転飾り装置。
【発明の詳細な説明】
【技術分野】
【０００１】
本発明は、装飾の対象物である装飾体をモータにより回転させるようにした回転飾り装置に関するものである。
【背景技術】
【０００２】
装飾の対象物である装飾体をモータにより回転させることでその装飾性を高めるようにした装飾置物（オーナメント）が従来より知られている。例えば、下記特許文献１には、球状の基体の外周面に多数の鏡が貼り付けられたミラーボールをモータにより回動させて装飾効果を向上させるようにしたインテリアとしてのキャンドル台が記載されている。また、下記特許文献２には、パチンコ遊技機等の遊技機に設けられる演出装置として、複数のＬＥＤが配設された半球状の基板をモータにより回動させるようにした電飾装置が記載されている。
【先行技術文献】
【特許文献】
【０００３】
【特許文献１】実用新案登録第３１３８９５１号公報
【特許文献２】特開２００６−３３３９５７号公報
【発明の概要】
【発明が解決しようとする課題】
【０００４】
上記特許文献１及び２に記載された発明において、モータの駆動で回動される装飾体（ミラーボールや半球状の基板）は、定められた回転軸線を中心として回動されるのみである。従って、その動きは単調なものになりがちで、装飾性や演出性が必ずしも高いとは言えず、飽きが生じ易いという問題があった。そこで本発明は、上記のような課題を解決するために、装飾体の回転にさらなる変化を与えることにより装飾性や演出性を向上させるようにした回転飾り装置を提供することを目的とする。
【課題を解決するための手段】
【０００５】
かかる目的を達成するために本発明の回転飾り装置は、基台と、前記基台上に回転自在に設けられる台座と、前記台座に載置されその表面の少なくとも一部が球面になっている装飾体と、前記基台に設けられるモータと、前記モータの回転動を該台座に伝達する回転軸部材とを備え、前記台座に前記装飾体の球面部分を摺動可能に支持する支承部を設け、前記回転軸部材に前記支承部が装飾体に接触する摩擦力よりも強い摩擦力で前記装飾体の球面部分に接触し前記台座が回転するときの該装飾体の回転中心軸を傾けさせる軸傾斜手段を設けたことを特徴としている。
なお、ここにいう「支承部」とは、台座に別個に形成したものに限られず、台座の上端縁にそのまま装飾体を載置し、該装飾体を上端縁のみで支持する場合には、台座の上端縁全体が「支承部」に該当することになる。
【０００６】
また、前記回転軸部材は、前記台座の回転中心線上に設けられる駆動軸と、前記駆動軸にその軸方向に交差するように延びる旋回軸とからなり、前記旋回軸は、前記台座に接続されていることを特徴としている。
【０００７】
また、前記軸傾斜手段は、前記旋回軸に回転自在に軸支された円環状の摩擦リングであることを特徴としている。
【０００８】
さらに、前記旋回軸には、駆動歯車が回転自在に軸支され、該駆動歯車を前記基台に固着した固定歯車に噛合させることにより動力伝達歯車が構成され、前記旋回軸の回転に伴って前記駆動歯車が回動することにようになっており、前記摩擦リングは、前記旋回軸に軸支された駆動歯車に固着されていることを特徴としている。
【０００９】
前記軸傾斜手段は、前記旋回軸を押し上げるように前記台座との間に介在させた付勢部材により前記装飾体の球面部分を弾性的に押圧していることを特徴としている。
【発明の効果】
【００１０】
本発明の回転飾り装置では、回転する装飾体の球面部分に接触するように軸傾斜手段を設け、この軸傾斜手段が装飾体の回転軸を傾けるようにしたことから、装飾体は回転の中心線を変化させながら回転するようになる。従って、装飾体が不思議な揺れ動きをしながら回転するといった視覚的効果が得られ、これにより回転飾り装置の演出性を向上させることができる。さらに、モータの回転速度を急激に加減速させたり又はモータの回転方向を反転させることにより装飾体の回転軸を大きく且つ不規則に変化させることができ、より斬新でインパクトのある演出をすることができる。
【図面の簡単な説明】
【００１１】
【図１】本発明に係る回転飾り装置を示す外観斜視図である。
【図２】装飾体を取り外した状態の本発明に係る回転飾り装置を示す外観斜視図である。
【図３】装飾体を取り外した状態の本発明に係る回転飾り装置を示す平面図である。
【図４】装飾体を取り外した状態の本発明に係る回転飾り装置を示す分解斜視図である。
【図５】本発明に係る回転飾り装置を示す断面図である。
【図６】本発明に係る回転飾り装置を適用したパチンコ遊技機を示す正面図である。
【図７】（ａ）（ｂ）は交換用の装飾体を示す正面図である。
【発明を実施するための形態】
【００１２】
以下、本発明に係る回転飾り装置を図面に従って説明する。回転飾り装置１は、基台２の円筒枠部３の内部に台座４が回転自在に設けられると共に、台座４の内部には該台座４を回転させる略Ｔ字形の回転軸部材５と傘歯車６が設けられ、また、台座４の上部には球形の装飾体７が載置されている。一方、基台２の箱枠部８の上面には、台座４の回転駆動源となるモータ９がギアボックス１０を介して取着されている。さらに、モータ９の上方には、装飾体７へ側方から光を照射する照明器１１が配設されている。
【００１３】
前記基台２の円筒枠部３は、装飾体７の直径よりも若干狭径の円筒形をしており、その最下端よりも若干上方の内部には、図５に示したように、底壁１２が形成されている。また、底壁１２の中央には円形の中心孔１３が開設され、さらに、底壁１２の上面であって中心孔１３の周囲には円筒状の支持筒部１４が立設されていると共に、その下端外側には段部１５が周設されている。一方、基台２の箱枠部８は、円筒枠部３の側面から略Ｌ字形に延設されている。箱枠部８の円筒枠部３側には、先端を内側に折り曲げた二片の鉤状リブ１６，１６と、これら鉤状リブ１６，１６間に位置する二片の板状リブ１７，１７とが、円筒枠部３の外周面から並行に突出するように形成されている。これら鉤状リブ１６，１６と板状リブ１７，１７とは、照明器１１の取付基板１８の下部を保持するようになっている。
【００１４】
基台２の箱枠部８の上面にはギアボックス１０がネジ１９により固設され、さらに、ギアボックス１０の上面にはモータ９がネジ２０により固設されている。モータ９の側面には、モータ９への電源供給線と制御信号線とを接続するためのコネクタ２１が設けられている。また、ギアボックス１０の内部には、モータ９の回転を所定速度に変換する複数の歯車（図示せず）が設けられており、その出力軸２２が箱枠部８の内部に突出している。そして、基台２の箱枠部８の内部下方には、ギアボックス１０の出力軸２２に取着される平歯車２３が水平に配設されている。平歯車２３の上面には軸孔２４を開設した円柱状の軸ボス２５が立設されており、この軸孔２４にギアボックス１０の出力軸２２が嵌入され係止ネジ２６により固定されている。さらに、基台２の円筒枠部３の内部であって底壁１２の下方には、前述した平歯車２３に噛合するように平歯車２７が水平に配設される。平歯車２７の上面には円柱状の軸ボス２８が立設されており、この軸ボス２８を円筒枠部３の底壁１２の中心孔１３に遊挿することで該平歯車２７は回転自在に設けられている。また、軸ボス２８には、後述する駆動軸４０が嵌挿される軸孔２９が開設されている。
【００１５】
前記台座４は、図５に示したように、円形の底板３０の外周縁に円筒壁３１を立設したカップ形状に形成されている。また、台座４の円筒壁３１の上端縁には、装飾体７を支持するための四個の支承部３２，３２，３２，３２が等間隔に突設されていて、台座４に装飾体７を載置した際、装飾体７と台座４との接触面積が少なくなるようにして摩擦抵抗を小さくしている。なお、支承部３２は必ずしも等間隔に四個設ける必要はなく、装飾体７を安定して支持することができればその個数や設置間隔は任意であるし、台座４の円筒壁３１の上端縁全体を支承部とすることも可能である。また、台座４の円筒壁３１には、後述する旋回軸４２が嵌まる一対の嵌入溝３３，３３が対向位置して形成され、さらに、円筒壁３１の内周面における各嵌入溝３３の両側縁には、それぞれ並行リブ３４，３４が立設されている。一方、台座４の底板３０の中央には挿入孔３５が開設され、この挿入孔３５には、基台２の円筒枠部３の底壁１２中央の支持筒部１４が遊嵌される。これにより、台座４は円筒枠部３の内部に回転自在に軸支される。
【００１６】
前記回転軸部材５は、台座４の回転中心線上に略鉛直に設けられる駆動軸４０と、駆動軸４０の上端に設けられた連結管４１と、該連結管４１に挿入されて駆動軸４０に対し略直交状に設けられる旋回軸４２とにより略Ｔ字形に形成されている。そして、回転軸部材５は、駆動軸４０が前記基台２の円筒枠部３の底壁１２下方へ突出して平歯車２７の軸孔２９に嵌入されると共に、旋回軸４２が台座４の円筒壁３１の嵌入溝３３，３３にそれぞれ嵌まって接続されることにより、平歯車２７の回転を台座４に伝達するようになっている。また、駆動軸４０の下端は、平歯車２７の軸孔２９の下方に若干突出し、該突出部分にＥリング４３が嵌合されている。さらに、旋回軸４２の両端は、台座４の円筒壁３１の嵌入溝３３から外方に若干突出し、該突出部分にＥリング４４，４４が嵌合されて抜け止めされている。また、台座４の内側の左右の並行リブ３４，３４間には、付勢部材としてのコイルバネ４５が設けられている。各コイルバネ４５は、旋回軸４２と台座４の底板３０との間で圧縮されており、その弾発力により回転軸部材５は上方に付勢されている。
【００１７】
前記傘歯車６（動力伝達歯車）は、台座４の内部に配置され、固定傘歯車６ａと該固定傘歯車６ａに噛合する２つの駆動傘歯車６ｂ，６ｃとによって形成されている。このうち、固定傘歯車６ａは、その軸筒部が基台２の円筒枠部３の底壁１２中央に立設された支持筒部１４の内側に上方から嵌合（隙間なく嵌っている状態）されて該支持筒部１４に回転不能に設けられ、固定傘歯車６ａの頭部の円錐歯は、台座４の底壁中央よりやや上方に位置するようになっている。さらに、固定傘歯車６ａには、その中心軸線に沿って貫通孔５０が開設されており、この貫通孔５０に駆動軸４０が挿入されている。もっとも、固定傘歯車６ａの貫通孔５０は、その内径が駆動軸４０の外径よりも大きくなっている。そのため、駆動軸４０は、貫通孔５０内を自在に回転し、固定傘歯車６ａの内部壁に接触することはない。一方、回転軸部材５の旋回軸４２の両側には、駆動傘歯車６ｂ，６ｃがそれぞれ一個ずつ設けられている。これら駆動傘歯車６ｂ，６ｃの軸筒部には、その中心軸線に沿って貫通孔５１が開設されており、この貫通孔５１に旋回軸４２が遊挿されることにより、駆動傘歯車６ｂ，６ｃは旋回軸４２に回転自在に軸支されている。また、駆動傘歯車６ｂ，６ｃの頭部は互いに向き合うように配置されていて、駆動傘歯車６ｂ，６ｃの頭部の円錐歯は、それぞれ固定傘歯車６ａの円錐歯と噛合するようになっている。
【００１８】
さらに、一方の駆動傘歯車６ｂには軸傾斜手段としての摩擦リング５２が固着され、また、他方の駆動傘歯車６ｃには空転リング５３が遊嵌されている。このうち、摩擦リング５２は、台座４の支承部３２よりも摩擦抵抗が大きいゴム等の材料によりドーナツ形の円環状に形成され、駆動傘歯車６ｂの軸筒部に固着されている。そして、摩擦リング５２は、台座４の支承部３２に載置された装飾体７の外周面に接触するように設けられている。他方、空転リング５３は、台座４の支承部３２と同程度に摩擦抵抗の小さい材料により形成され、摩擦リング５２と略同じドーナツ形の円環状をしており、駆動傘歯車６ｃの軸筒部に遊嵌（若干の隙間をもって嵌っている状態）されている。すなわち、空転リング５３の内径は、駆動傘歯車６ｃの外径よりも若干大きくなっている。この空転リング５３も、台座４の支承部３２に載置された装飾体７の外周面に接触するように設けられている。
【００１９】
前記装飾体７は、滑らかで摩擦抵抗が小さい外周面を有する球形状に形成されていて、その外周面が台座４に形成された四個の支承部３２，３２，３２，３２に接触することで台座４に支持される。このとき、装飾体７の中心部（重心）は、駆動軸４０の延長線上に位置している。また、装飾体７の外周面には、摩擦リング５２および空転リング５３も接触するようになっている。すなわち、装飾体７は、四個の支承部３２，３２，３２，３２と、摩擦リング５２および空転リング５３との合計六箇所で支持されている。なお、装飾体７は、必ずしも完全な球形状である必要はなく、外周面の少なくとも一部に外向きに膨らんだ球面状の部分が形成されていれば、台座４に摺動自在に支持させることができる。すなわち、装飾体７は、例えば、楕円球状、卵形球状、半球状、半楕円球状、半卵形球状等であってもよい。
【００２０】
前記モータ９は、図示しない制御回路からの信号により回転の態様が自在に制御されるようになっている。すなわち、モータ９は、任意の回転速度かつ任意の回転方向で自在に回転させることができ、例えば、停止状態から急に高速回転させたり、高速回転中に急停止させたり逆回転させたり等の急激な制御も可能である。さらに、モータ９の回転を短時間で正逆回転させることにより、あたかもモータ９が振動しているかのように制御することもできる。
【００２１】
前記照明器１１は、基台２の箱枠部８に固設される取付基板１８に投光部６０を取着して構成されている。取付基板１８は、平板を二箇所折曲してクランク状に形成され、その下部が箱枠部８の鉤状リブ１６，１６と板状リブ１７，１７との間に嵌入され、その上部はモータ９の上方に位置するように立設されている。また、取付基板１８の上部の前面には、投光部６０が装飾体７側を向くように取着される。この投光部６０は、八角形の筒状に形成されたフード６１の内部に基板６２を略垂直に配設して形成される。基板６２の前面には複数のＬＥＤ６３，６３，…，６３が装飾体７を向くように配設されている。また、基板６２の後面には各ＬＥＤ６３への電源を供給するためのコネクタが設けられている。
【００２２】
次に、上述した本発明に係る回転飾り装置の作用について説明する。モータ９を駆動させると、その回転動がギアボックス１０、平歯車２３、平歯車２７、回転軸部材５を介して台座４に伝達されて該台座４が水平方向に回転し、その結果、台座４上に載置された装飾体７も回転することになる。ここで、仮に本発明に係る回転飾り装置に軸傾斜手段が設けられていないとしたならば、装飾体７は、該装飾体７の中心部を通る回転軸部材５の駆動軸４０の延長線上に一致する回転軸を中心として水平方向にのみ回転することになる。しかしながら、実際には、装飾体７は、軸傾斜手段によって、その回転軸を様々な方向へと傾けながら予期し得ない様々な方向へと回転することになる。
【００２３】
すなわち、モータ９の駆動により、平歯車２３、平歯車２７が回転し、この回転が回転軸部材５の駆動軸４０に伝達されると、これに伴って旋回軸４２もプロペラのように回転し、その結果、台座４が回転する。そして、回転軸部材５の旋回軸４２が回転すると、該旋回軸４２に回転可能に軸支されている駆動傘歯車６ｂ，６ｃは、台座４のほぼ中央に位置する固定傘歯車６ａに対して旋回移動しながら回転する。このとき、各駆動傘歯車６ｂ，６ｃは、台座４の回転速度と回転方向の変化に連動して、その回転速度と回転方向を変化させながら回転することになる。さらに、一方の駆動傘歯車６ｂには、摩擦リング５２が固着されていて、この摩擦リング５２は、駆動傘歯車６ｂと一緒に回転する。ここで、摩擦リング５２は、装飾体７の外周面と接触し、しかも旋回軸４２がコイルバネ４５，４５の弾発力により上向きに付勢されていることから、装飾体７の外周面に押圧されて、装飾体７の外周面に適度な摩擦抵抗力を与え続けている。そのため、摩擦リング５２は、装飾体７に対して水平方向とは異なる方向へと回転力を加えることになる。他方、駆動傘歯車６ｃに空転リング５３が軸支されているものの、空転リング５３は、駆動傘歯車６ｃに遊嵌されているにすぎないため、駆動傘歯車６ｃの回転がそのまま伝達されることはなく、装飾体７の外周面に摩擦抵抗力を与えるほどには至らない。すなわち、空転リング５３は、装飾体７の外周面に常に接触してはいるが、装飾体７の外周面を下から支持しているのみである。これらのことから、台座４の回転に伴って装飾体７が回転すると、摩擦リング５２だけが装飾体７の外周面に強い摩擦抵抗を与えて、台座４が回転するときの装飾体７の回転中心軸を傾斜させる。このような回転軸の傾斜は、摩擦リング５２が装飾体７の外周面に常に摩擦抵抗を与えているために該装飾体７の回転中に継続的に次々と発生する。このため、装飾体７は、その回転の中心線を常に変化させながら三次元的に揺れ動くような不思議な回転動作をする。
【００２４】
また、モータ９の回転速度を変化させたり、または、回転方向を反転させたりすると、摩擦リング５２が装飾体７の外周面に与える摩擦力が大きく変化する。従って、装飾体７の回転軸の傾きがより大きく、また思わぬ方向に変化するようになり、装飾体７にさらに面白い回転変化を与えることができる。特に、モータ９を高速回転させているときにその回転方向を急に反転させると、装飾体７は、慣性の働きで台座４上を滑って現在の回転方向を維持しようし、一方、摩擦リング５２からは、それとは逆向きの強い摩擦抵抗が衝撃的に加わることになる。よって、装飾体７の回転軸の傾きが非常に大きく変化し、斬新でインパクトのある演出をすることができる。このように装飾体７が大きく三次元的に回転する際にも、装飾体７の外周面は支承部３２，３２，３２，３２に常に接触しているため、該装飾体７は、台座４から転落することなく非常に安定した状態を保持している。なお、本実施形態においては、装飾体７が略完全な球形に形成されているために装飾体７は３６０°回転可能である。
【００２５】
さらに、装飾体７の側方に配設した照明器１１のＬＥＤ６３を赤・緑・青等の複数の異なる色で発光させることで装飾体７に光を照射し、ひときわ印象的な演出を行なうことができる。このような光の照射による演出では、装飾体７の一部または全部を光透過性の材料によって形成したり、または、装飾体７の表面が光を反射するように加工しておくことが好ましく、また、制御回路により、照明器１１の点灯・消灯の態様をモータ９の回転制御に同調させて変化させてやれば、より演出効果を高めることができる。さらに、ＬＥＤ６３，６３，…，６３を、基台２の円筒枠部３の内側に設けた場合には、各ＬＥＤ６３が装飾体７の下方に位置して該装飾体７を下から照明するので、光をより広範囲に拡散させることができるようになる。そして、例えば、装飾体７を光透過性の材料により形成すると共に、その中心部に光を様々な方向へ乱反射させる反射部を形成すれば、プラネタリウムのような演出をすることができる。
【００２６】
なお、本実施形態においては、軸傾斜手段としての摩擦リング５２が、台座４の回転に伴って旋回すると共に回転しながら装飾体７の外周面に摩擦抵抗を与える構成を示したが、これに限定されるものではない。すなわち、軸傾斜手段は、台座４の支承部３２よりも強い摩擦力で装飾体７の外周面に接触するように設けた摩擦部材であればよく、必ずしも旋回したり回転したりしなくても、装飾体７の回転軸を傾けて変更させることが可能である。もっとも、軸傾斜手段を回転軸部材の回転中心軸上に設けたり、あるいは、回転軸部材の回転中心軸から支承部３２までの位置と同じ距離にあると、装飾体７の回転軸を傾けることができないので、本願発明の目的を達し得ないことになる。また、本実施の形態において、台座４は、その回転中心線を鉛直にして水平に回転するように設けられているが、装飾体７を安定して支持し得る範囲内であれば、台座４を若干傾けて設けることにより、傾斜回転させるようにしてもよい。また、装飾体７の外周面の一部のみを球面としてもよく、この場合、装飾体７の上方に位置させ接触することで想定以上の傾斜を規制する傾斜制止部材を基台２または台座４、もしくはその他の箇所に設けることが好ましい。これにより、装飾体７の球面部分が各支承部３２の支持から外れて装飾体７が台座４から転落してしまうことを防止できるようになる。
【００２７】
上述したように、本発明に係る回転飾り装置は、回転する装飾体７の外周面の球面部分に接触して摩擦抵抗を与える摩擦リング５２が設けられ、この摩擦リング５２が装飾体７の回転軸を傾けることから、装飾体７は、回転の中心線を変化させながら回転するようになっている。従って、装飾体７が三次元的に揺れ動きながら回転するといった不思議な視覚的効果が得られ、これにより、装飾性や演出性を著しく向上させることができる。また、装飾体７に光を照射する照明器１１を設けたことから、装飾体７の回転と光の照射とを組み合わせた演出ができる。さらに、装飾体７は、台座４の支承部３２，３２，３２，３２に支持させることで該台座４に単に載置されているだけであるため、その交換が非常に容易である。従って、別の装飾体７に載せ替えるだけでその外観や雰囲気を簡単に変化させることができる。
【００２８】
次に、本発明に係る回転飾り装置をパチンコ遊技機に適用した場合の実施形態について説明する。この実施形態は、上述の実施形態と共通する構成を多く有している。従って、同一の構成については同一の符号を付すことにより詳しい説明を省略し、相違する構成について説明する。図６は、本発明に係る回転飾り装置を適用したパチンコ遊技機を示す正面図である。
【００２９】
パチンコ遊技機Ｐの遊技盤１０１の前面には、円弧状の外レール１０２および内レール１０３で取り囲んで略円形状に形成した遊技領域１０４が設けられる。外レール１０２と内レール１０３とは、遊技領域１０４の正面視左側にて所定間隔で並べて配設されており、遊技球が通過できる幅の発射通路１０５を形成している。遊技球は、この発射通路１０５を介して遊技領域１０４へ発射される。遊技領域１０４の中央上部寄りには、液晶パネルからなる大型の電子ディスプレー１０６を備えた図柄表示装置１０７が設けられる。この図柄表示装置１０７の電子ディスプレー１０６には、特別抽選の結果が図柄の変動表示の停止図柄として表示されるようになっている。図柄の変動表示は、横三列に並べられた数字、記号、キャラクタ等の図柄を縦方向に次々と変化させると共に順に停止させる演出であって、例えば、数字の７が横二列に並んで停止した状態で残り一個の図柄停止を待っているリーチを経て、最終的に停止図柄として「７７７」のように同一図柄が横に三個揃うと大当たりとなる。
【００３０】
遊技盤１０１の図柄表示装置１０７の発射通路側の一側には、遊技球を挿通し得る貫通孔が略鉛直に形成されたチャッカー１０８が配設される。チャッカー１０８が遊技球の通過を検知すると、普通抽選が実行されるようになっている。さらに、図柄表示装置１０７の下方には、始動入賞口１０９と開閉始動入賞口１１０とが上下に並んで配設される。開閉始動入賞口１１０の上部には一対の電動翼片１１１，１１１が設けられ、この電動翼片１１１，１１１は常態では閉じられており、上述した普通抽選の結果が当たりであると開放作動する。そして、電動翼片１１１，１１１が開放作動すると、開閉始動入賞口１１０は遊技球を受け入れるようになる。これら始動入賞口１０９または開閉始動入賞口１１０に遊技球が入球すると特別抽選が実行される。
【００３１】
開閉始動入賞口１１０の下方には、電動扉１１２を有する大入賞口１１３が設けられる。この大入賞口１１３の電動扉１１２は、上述した特別抽選の結果が大当たりのときに生起される大当たり遊技状態の継続中に所定回数連続して開放作動する。これにより、大入賞口１１３に多くの遊技球を入賞させることが可能となり、遊技者は多数の賞球を得ることができるようになっている。また、遊技領域１０４の適宜箇所には、複数の普通入賞口１１４，１１４，…，１１４が設けられている。
【００３２】
遊技領域１０４の最下部には、上述した各種入賞口１０９，１１０，１１３，１１４のいずれにも入賞しなかった遊技球を遊技領域１０４の外部へ排出するアウト球排出口１１５が設けられる。さらに、遊技領域１０４の適宜位置には、遊技球の流下方向を案内したり規制したりする多数の遊技釘１１６，１１６，…，１１６が配設され、また、遊技球の衝突により回転すると共に該遊技球の流下方向を変更させる風車１１７が設けられている。
【００３３】
遊技盤１０１には、遊技領域１０４の右側における図柄表示装置１０７の下方にて窓開口１２０が開設され、この窓開口１２０には、所定広さの奥行き空間を有する役物室１２１が形成されている。役物室１２１は、内壁部１２２に放射状の模様が形成されると共に、底部１２３には回転飾り装置１が配設される。回転飾り装置１の装飾体７は、役物室１２１の中央下部に位置するように設けられ、その回転の様子がパチンコ遊技機Ｐの前面側から全体的に視認し得るようになっている。一方、基台２は、その大部分が役物室１２１の底部１２３よりも下側に配設され、遊技者からなるべく見えないようになっている。また、照明器１１は装飾体７の後側に位置するように設けられており、装飾体７へ向けて照射された光が、パチンコ遊技機Ｐの前面側に放出されるようになっている。
【００３４】
本発明の回転飾り装置を適用したパチンコ遊技機Ｐは上述した構成からなり、発射通路１０５を通過して遊技領域１０４に発射された遊技球は、遊技釘１１６や風車１１７に衝突することでその流下方向を変化させながら、遊技領域１０４を下方へ向かって転動する。転動する遊技球がチャッカー１０８を通過すると普通抽選が実行され、この普通抽選の結果が当たりの場合は、開閉始動入賞口１１０の電動翼片１１１，１１１が開放作動する。これにより、開閉始動入賞口１１０に遊技球が入賞し得るようになる。このとき、電動翼片１１１，１１１の開放作動のタイミングに合わせて回転飾り装置１の装飾体７を回転させると共に照明器１１を点灯させることにより、普通抽選に当たったことが遊技者に視覚的に報知される。
【００３５】
さらに、始動入賞口１０９または開閉始動入賞口１１０に遊技球が入賞すると、特別抽選が実行されると共に図柄表示装置１０７の電子ディスプレー１０６にて図柄の変動表示が開始される。図柄の変動表示がリーチになったときは、例えば、装飾体７の回転を低速で開始させると共に、照明器１１を明るくしたり暗くしたりする等の演出を行なって、変動表示の停止図柄が揃うか否かの期待感を高めるようにする。そして、特別抽選の結果が大当たりであって、変動表示の停止図柄として同一の図柄が三個揃った場合には、装飾体７を高速で回転させると共に照明器１１を派手に点灯させ、遊技状態が大当たり遊技状態へ移行することの高揚感を増大させるようにする。
【００３６】
遊技状態が大当たり遊技状態になると、大入賞口１１３の電動扉１１２が複数回の開放作動を行ない、これにより、遊技者は、該大入賞口１１３に遊技球を入賞させて多数の賞球を得ることができる。そして、大当たり遊技状態が継続中のときには、装飾体７をその回転速度や回転軸を変化させながら三次元的に回転させると共に照明器１１の点灯と消灯を繰り返すようにする。これにより、大当たり遊技状態であることを遊技者に視覚的に報知し続けることができる。また、他のパチンコ遊技機で遊技中の遊技者にも、当該パチンコ遊技機が大当たり遊技状態中であることをアピールできる。また、図柄表示装置１０７の電子ディスプレー１０６にて大当たりの図柄の確定表示をする前のタイミング（図柄変動開始から図柄変動中）にも関わらず、大当たりの抽選結果を別途設けた音声装置の効果音や、照明器１１の点灯と共にいち早く遊技者に伝えるために、装飾体７を回転させその動きを告知する機能として役立てることも可能である。
【００３７】
このように、本発明に係る回転飾り装置を備えるパチンコ遊技機Ｐでは、自由な方向へ自在に回転軸を傾動させながら回転する装飾体７により、図柄の変動表示がリーチのときや、遊技状態が大当たり遊技状態のときに、斬新的でインパクトに富んだ演出を行なうことができる。なお、上述した実施形態では、遊技機の一種であるパチンコ遊技機に本発明の回転飾り装置を適用した構成を示したが、これに限られない。すなわち、本発明に係る回転飾り装置は、アレンジボール機、雀球遊技機、スロット機等の、パチンコ球やメダルを遊技媒体として用いる遊技機にも同様に適用することができる。
【００３８】
また、役物室１２１に配設される台座４は、装飾体７が安定して支持される範囲内において若干傾けて設けてもよい。これにより、装飾体７は傾斜した回転中心線を中心として三次元的に回転するようになる。さらに、装飾体７は、台座４に支持させることができる球面が外周面の少なくとも一部に形成されていれば、球形状以外の形であってもよい。例えば、図７（ａ）に示した半球状装飾体１３０は、半球形部１３１の上面にヨットの形を模した模型１３２を固着して形成している。また、図７（ｂ）に示した球殻状装飾体１３３は、透光性を有する球形の外球殻部１３４の内部に円環状に形成された複数の飾り片１３５を封入して形成している。この球殻状装飾体１３３は、外球殻部１３４が球形をしているため、外周面全体が球面となっている。このように、装飾体７は、様々なデザインで形成することができ、パチンコ遊技機Ｐ全体の装飾の態様に合わせることが可能である。また、装飾体７の前面には、該装飾体７を覆い隠す位置と露出させる位置との間で位置変化するギミックを配設してもよい。このギミックにより、常態においては装飾体７を見えないように隠すと共に、リーチや大当たり遊技状態のときにギミックを動かして三次元的に回転する装飾体７を見せるといった演出ができるようになる。なお、基台２は、普通入賞口１１や装飾部材などに一体的に設けてもよい。
【符号の説明】
【００３９】
１              飾り装置本体
２              基台
４              台座
５              回転軸部材
６              傘歯車（動力伝達歯車）
６ａ            固定歯車（固定傘歯車）
６ｂ            駆動歯車（駆動傘歯車）
６ｃ            駆動歯車（駆動傘歯車）
７              装飾体
９              モータ
１１            照明器
３２            支承部
４０            駆動軸
４２            旋回軸
４５            コイルバネ（付勢部材）
５２            摩擦リング（軸傾斜手段）
【図１】
0005547562.tif 000002
【図２】
0005547562.tif 000003
【図３】
0005547562.tif 000004
【図４】
0005547562.tif 000005
【図５】
0005547562.tif 000006
【図６】
0005547562.tif 000007
【図７】
0005547562.tif 000008